(57)【要約】      （修正有）【課題】二輪車のバックミラー装置のケーシング内におけるミラー部材の内側に時刻表示部を設けることで、ライダーが確認し易く、又雨による被水の影響を少なくした二輪車用時計装置を提供する。【解決手段】時計装置３０は、ケーシング２０の内壁面に設置されている。また、時刻表示部３１は、前記ケーシング２０における前記開口部２２の下端部中央に設置されている。この時刻表示部３１は前記時計装置３０が刻んだ時刻を発光素子によってデジタル表示し、外側方向にその表面を向けている。樹脂製枠体２４は、前記ケーシング２０における前記開口部２２の縮径段部２３に嵌着されている。この枠体２４は前記ケーシング２０に対して水密状態を維持している。ミラー部材５０は、前記枠体２４の内周縁に内嵌された状態で固定されている。このミラー部材５０はハーフミラーからなり、前記時刻表示部３１の表示内容をミラー部材５０の外側から視認することができる。【選択図】図４
0003163401.tif 000002
【実用新案登録請求の範囲】
【請求項１】
ケーシングの開口部にミラー部材を設置した二輪車用ミラー装置において、前記ケーシング内における前記ミラー部材の内側に時刻表示部材を設置するとともに前記ミラー部材をハーフミラーにし、このハーフクミラーを介して前記時刻表示部材の時刻表示部を視認可能としたことを特徴とする二輪車用時計装置。
【請求項２】
前記時刻表示部を発光素子によって形成したことを特徴とする請求項１の二輪車用時計装置。
【請求項３】
前記時刻表示部を前記ミラー部材の下端部中央に配置したことを特徴とする請求項１の二輪車用時計装置。
【請求項４】
前記時刻表示部は時刻をデジタル表示させることを特徴とする請求項１の二輪車用時計装置。
【考案の詳細な説明】
【技術分野】
【０００１】
この考案は二輪車用時計装置に関し、特に、自動二輪車においてライダーが時刻を確認する場合に使用するものである。
【背景技術】
【０００２】
従来の自動二輪車における時計装置は、時刻表示部をライダーの前方であるステアリングヘッドの上部に設置したり、又は、操向ハンドルのグリップ近傍に設置したりして、走行中のライダーに対して現在の時刻等を表示していた。
【０００３】
【特許文献１】実開昭６２−１０２１１８号公報
【特許文献２】実開昭６３−１０２１９５号公報
【考案の開示】
【考案が解決しようとする課題】
【０００４】
しかしながら、かかる従来の時計装置にあっては、いずれも、時刻表示部がライダーの走行中の目線に入りにくい部分に配置されていたため、時刻を確認する際に目線を移動しなければならず、この結果、走行中における時刻の確認がしにくいという不都合を有するとともに、この時刻表示部は大気に露出していたため、雨水等によって被水しやすく、この結果維持管理に手間がかかるという不都合を有した。
【課題を解決するための手段】
【０００５】
これらの不都合を解消することが、この考案の課題である。
【０００６】
この考案に係る二輪車用時計装置においては、ケーシングの開口部にミラー部材を設置した二輪車用ミラー装置において、前記ケーシング内における前記ミラー部材の内側に時刻表示部材を設置するとともに前記ミラー部材をハーフミラーにし、このハーフクミラーを介して前記時刻表示部材の時刻表示部を視認可能としたものである。
【０００７】
なお、前記時刻表示部を発光素子によって形成することもできる。
【０００８】
また、前記時刻表示部を前記ミラー部材の下端部中央に配置することもできる。
【０００９】
また、前記時刻表示部をして、時刻をデジタル表示させることもできる。
【考案の効果】
【００１０】
この考案に係る二輪車用時計装置は上記のように構成されているため、即ち、ケーシングの開口部にミラー部材を設置した二輪車用ミラー装置において、前記ケーシング内における前記ミラー部材の内側に時刻表示部材を設置するとともに前記ミラー部材をハーフミラーにし、このハーフミラーを介して前記時刻表示部材の時刻表示部を視認可能としたため、ライダーの走行中の目線に入りやすいミラー部材の表面に時刻表示をすることができる。
【００１１】
よって、この二輪車用時計装置を使用すれば、走行中のライダーは時刻の確認がしやすいものである。
【００１２】
さらに、この時刻表示部はミラー装置の内部に設置されているため、従来のように大気に露出することはないため、雨水等によって被水しにくく、よって、維持管理がしやすいものである。
【００１３】
また、時刻表示部材を設置するにあたって、ミラー装置の内部を有効利用することができ、従来のように、車体に対して別途に時刻表示部材を設置する必要がなくなるため、操向ハンドルの近傍がすっきりしライダーにとって操縦しやすいものである。
【００１４】
なお、前記時刻表示部を発光素子によって形成すれば、夜間等でも前記ミラー部材を介して時刻表示が見やすいものである。
【００１５】
また、前記時刻表示部を、ライダーの目線でみやすい前記ミラー部材の下端部中央に配置すれば、ミラー部材を見ながら、後方等を確認しながら、時刻を確認しやすいものである。
【００１６】
また、前記時刻表示部において、時刻をデジタル表示させるようにすれば、時刻を瞬間的に把握できるため、他に神経を使っている走行中のライダーにとって時刻を確認しやすいものである。
【考案を実施するための最良の形態】
【００１７】
この考案に係る二輪車用時計装置は二輪車用ミラー装置に組み込むものである。
【００１８】
同「時刻表示部材」は通常のデジタル時計を使用する。また、「時刻表示部」とはデジタル的に時刻を表示する部分である。
【００１９】
同「ハーフミラー」とは通常のハーフミラー、マジックミラーのことであり、鏡に張る金属の膜を通常より薄くして半透明にしたものであり、暗い側からは見えやすく明るい側からは見えにくい性質を有しているものである。
【実施例１】
【００２０】
以下、図面に基づいてこの考案の実施例を説明する。
【００２１】
図１はこの考案に係る二輪車用時計装置の使用状態図、図２は図１におけるＩI 矢視状態の斜視図、図３は同正面図、図４は図３におけるIV−IV線断面図である。
【００２２】
図１において、Ｍは自動二輪車（この考案の「二輪車」に相当する）、１１は操向ハンドルである。この操向ハンドル１１は回転軸１２を中心として揺動する。Ｂ，Ｂはバックミラー装置であり、この操向ハンドル１１のグリップ１１１，１１１近傍に設置されている。このバックミラー装置Ｂがこの考案の「二輪車用時計装置」に相当する。
【００２３】
なお、１３，１３はフロントフォーク、１４はこのフロントフォーク１３，１３に設置された前輪、１５はこの前輪１４をカバーするフロントフェンダである。また、１６は前記回転軸１２の後方（ライダー側）に設置された燃料タンクである。
【００２４】
図２〜図４に基づいて、前記バックミラー装置Ｂについて詳述する。
【００２５】
図において、２０は前記バックミラー装置Ｂのケーシングであり、取付棒２１を介して前記操向ハンドル１１に設置されている。このケーシング２０は樹脂製であり、その開口部２２を有している。なお、前記ケーシング２０における前記開口部２２の端縁部は縮径段部２３を有している。
【００２６】
３０は時計装置（この考案の「時刻表示部材」に相当する）であり、前記ケーシング２０の内壁面に設置されている。また、３１は時刻表示部（デジタル表示）であり、前記ケーシング２０における前記開口部２２の下端部中央に設置されている。この時刻表示部３１は前記時計装置３０が刻んだ時刻を発光素子によってデジタル表示し、外側方向にその表面を向けている。図においては、「１２：００」を示している。
【００２７】
２４は樹脂製枠体であり、前記ケーシング２０における前記開口部２２の縮径段部２３に嵌着されている。この枠体２４は前記ケーシング２０に対して水密状態を維持している。５０はミラー部材であり、前記枠体２４の内周縁に内嵌された状態で固定されている。このミラー部材５０はハーフミラーからなり、前記時刻表示部３１の表示内容をミラー部材５０の外側から視認することができる。なお、前記時刻表示部３１は前記ミラー部材５０の内壁面にその表示部を略接触させ、ミラー部材５０の外側から視認しやすいようにしている。
【産業上の利用可能性】
【００２８】
この考案に係る二輪車用時計装置を使用すれば、走行中のライダーは時刻の確認がしやすいものである。さらに、この時刻表示部はミラー装置の内部に設置されているため、従来のように大気に露出することはないため、雨水等によって被水しにくく、よって、維持管理がしやすいものである。自動二輪車等の二輪車にのライダーにとってその利用可能性は極めて高いものである。
【図面の簡単な説明】
【００２９】
【図１】図１はこの考案に係る二輪車用時計装置の使用状態図である。
【図２】図２は図１におけるＩI 矢視状態の部分図である。
【図３】図３は同正面図である。
【図４】図４は図３におけるIV−IV線断面図である。
【符号の説明】
【００３０】
Ｍ  …  自動二輪車（二輪車）
１１  …  操向ハンドル
１２  …  回転軸
Ｂ  …  バックミラー装置
１１１…  グリップ
１３  …  フロントフォーク
１４  …  前輪
１５  …  フロントフェンダ
１６  …  燃料タンク
２０  …  ケーシング
２１  …  取付棒
２２  …  開口部
２３  …  縮径段部
３０  …  時計装置（時刻表示部材）
３１  …  時刻表示部
２４  …  枠体
５０  …  ミラー部材
【図１】
0003163401.tif 000003
【図２】
0003163401.tif 000004
【図３】
0003163401.tif 000005
【図４】
0003163401.tif 000006